(57)【特許請求の範囲】
【請求項１】
長尺状の発光部と、
前記発光部を収容可能に形成されたランプボディと、
前記ランプボディの開口部を覆う透明カバーと、
を備える車両用灯具であって、
前記透明カバーは、
前記発光部の正面に位置する主出射面部と、
前記主出射面部に対して所定の角度を付けられた副出射面部と、
前記副出射面部の一部に形成された、他の部分よりも肉厚な肉厚部と、
前記肉厚部に突設された、前記透明カバーと前記ランプボディとを固定するための固定部と、
前記肉厚部周辺に形成された光拡散部と、
を備え、
前記光拡散部は、前記副出射面部に形成された複数のシリンドリカル状のステップを有し、
前記肉厚部から突出する前記固定部の境界線は、前記シリンドリカル状のステップの境界線と一致していることを特徴とする車両用灯具。
【請求項２】
前記主出射面部にも光拡散部が形成されており、前記主出射面部に形成された光拡散部と、前記副出射面部に形成された光拡散部とは、異なる形状を有することを特徴とする請求項１に記載の車両用灯具。
【請求項３】
前記主出射面部の光拡散部は、格子状のステップを有することを特徴とする請求項２に記載の車両用灯具。
【発明の詳細な説明】
【技術分野】
【０００１】
本発明は、車両用灯具に関する。
【背景技術】
【０００２】
従来、灯室内にロービームランプ、ハイビームランプ、クリアランスランプ等を一体に組み込んだコンビネーションヘッドランプが知られている。このようなコンビネーションヘッドランプにおいては、ロービームランプ、ハイビームランプとして、例えばプロジェクタ型や反射型の灯具が用いられる。また、クリアランスランプとしては、従来反射型の灯具が一般的であったが、近年では、ＬＥＤ等の光源から出射された光を一端面から入射させて、内部で導光しながら外部へ出射する導光体を用いたものが提案されている（導光体を用いた車両用灯具としては、例えば特許文献１参照）。
【先行技術文献】
【特許文献】
【０００３】
【特許文献１】特開２０１１−３２８１号公報
【発明の概要】
【発明が解決しようとする課題】
【０００４】
導光体を用いた車両用灯具は、通常、ランプボディと透明カバーにより囲まれた灯室内に導光体が配置されている。ランプボディと透明カバーとをランス等の固定部を用いて固定した場合、カバーが透明なため、外側から固定部が見えてしまい、車両用灯具の見栄えという点において改善の余地がある。
【０００５】
本発明はこうした状況に鑑みてなされたものであり、その目的は、車両用灯具の見栄えを向上することのできる技術を提供することにある。
【課題を解決するための手段】
【０００６】
上記課題を解決するために、本発明のある態様の車両用灯具は、長尺状の発光部と、発光部を収容可能に形成されたランプボディと、ランプボディの開口部を覆う透明カバーと、を備える。透明カバーは、発光部の正面に位置する主出射面部と、主出射面部に対して所定の角度を付けられた副出射面部と、副出射面部に突設された、透明カバーとランプボディとを固定するための固定部と、固定部が突設された副出射面部の部位周辺に形成された光拡散部とを備える。
【０００７】
この態様によると、固定部が突設された副出射面部の部位周辺に光拡散部を形成したことにより、固定部を外部から見え難くすることができ、その結果車両用灯具の見栄えを向上できる。
【０００８】
光拡散部は、副出射面部に形成された複数のシリンドリカル状のステップを有してもよい。
【０００９】
主出射面部にも光拡散部が形成されており、主出射面部に形成された光拡散部と、副出射面部に形成された光拡散部とは、異なる形状を有してもよい。
【００１０】
出射面部の光拡散部は、格子状のステップを有してもよい。
【発明の効果】
【００１１】
本発明によれば、車両用灯具の見栄えを向上することができる。
【図面の簡単な説明】
【００１２】
【図１】本発明の実施形態に係る車両用前照灯を説明するための概略正面図である。
【図２】図１に示す車両用前照灯のＡ−Ａ断面図である。
【図３】クリアランスランプの拡大断面図である。
【図４】固定用ランスの周辺を灯具後方側から見た図である。
【発明を実施するための形態】
【００１３】
以下、図面を参照して本発明の実施形態について詳細に説明する。
【００１４】
図１は、本発明の実施形態に係る車両用前照灯１０を説明するための概略正面図である。また、図２は、図１に示す車両用前照灯１０のＡ−Ａ断面図である。
【００１５】
図１および図２に示すように、車両用前照灯１０は、ランプボディ１２と透明なカバー１３とにより構成される灯室１４内に、ロービームランプ１６、ハイビームランプ１８、およびクリアランスランプ２０が収容されたコンビネーションヘッドランプである。
【００１６】
ロービームランプ１６およびハイビームランプ１８は、灯室１４内において車幅方向に並んで配置されている。図２では、ロービームランプ１６として反射型の灯具が図示されているが、ロービームランプ１６の種類は特に限定されず、例えば反射型やプロジェクタ型の車両用灯具を利用できる。反射型のロービームランプは公知であるので、ここでは詳細な説明者省略する。ハイビームランプ１８の種類もまた、特に限定されず、例えば反射型やプロジェクタ型の車両用灯具を利用できる。
【００１７】
クリアランスランプ２０は、図１および図２に示すように、ＬＥＤ２１と、ＬＥＤ２１を搭載するための基板２２と、長尺状の発光部としての導光体２３と、透明カバー２４と、エクステンション２５とから構成されている。
【００１８】
導光体２３は、アクリルやポリカーボネート等の透明樹脂を射出成形することにより形成された棒状の部材である。図１において、導光体２３はＬ字状に成形されており、ランプボディ１２の上側縁部から車幅方向片側縁部にかけて略Ｌ字状に延在している。導光体２３の一方の端面は、ＬＥＤ２１からの光を入射する入射面２３ａとされている。導光体２３は、入射面２３ａから入射した光を内部で導光しながら、延出方向に沿った出射面から前方に向けて出射するよう構成されている。
【００１９】
ＬＥＤ２１は、導光体２３に光を供給する光源である。ＬＥＤ２１は、導光体２３の入射面２３ａに対向するように基板２２上に搭載されている。
【００２０】
エクステンション２５は、ロービームランプ１６およびハイビームランプ１８とランプボディ１２との隙間を隠すために、表面アルミ蒸着処理された樹脂成形体である。エクステンション２５の前端部は、図２に示すように、前面の開口する容器状に形成されており、導光体２３を収容可能なクリアランスランプ２０のランプボディとして形成されている（以下、「クリアランスランプボディ２６」と呼ぶ）。透明カバー２４は、クリアランスランプボディ２６の前面開口部を覆うように設けられている。透明カバー２４およびクリアランスランプボディ２６は、導光体２３の形状に沿って延出形成されている。
【００２１】
図３は、クリアランスランプ２０の拡大断面図である。図３に示すように、導光体２３は、透明カバー２４とクリアランスランプボディ２６とにより形成される灯室２７内の略中央に位置決め保持されている。図３に示すように、導光体２３は、略円形状の断面形状を有している。
【００２２】
本実施形態において、導光体２３の周面における前面側の部位は、光を灯具前方に出射する出射面２３ｂとして機能する。また、導光体２３の周面における後面側の部位には、導光体２３内を進む光の一部を出射面２３ｂに向けて反射する複数のステップ２３ｃが導光体２３の延出方向に沿って形成されている。ステップ２３ｃの形状、大きさ、配列ピッチ等は、クリアランスランプとして要求される強度の光が出射面２３ｂから正面方向（前方）に照射されるように設計される。
【００２３】
図３に示すように、透明カバー２４は、凹形状に形成されており、導光体２３の出射面２３ｂの正面に位置する主出射面部２４ａと、導光体２３の上方に位置する第１副出射面部２４ｂと、導光体２３の下方に位置する第２副出射面部２４ｃとを備える。第１副出射面部２４ｂは、主出射面部２４ａに対して所定の第１角度を付けられており、クリアランスランプボディ２６の上端部と係合している。第２副出射面部２４ｃは、主出射面部２４ａに対して所定の第２角度を付けられており、クリアランスランプボディ２６の下端部と係合している。このように本実施形態では、透明カバー２４は主に３つの面部から構成されており、この透明カバー２４により外形意匠が表現されている。導光体２３は通常、円形断面のものが用いられるが、本実施形態のように、導光体２３を覆う透明カバー２４として複数の面部を有するものを用いることにより、あたかも角柱が発光しているかのような見栄えを安価に構成できる。
【００２４】
主出射面部２４ａは、導光体２３の出射面２３ｂの正面に位置しているため、導光体２３から高い強度の光が入射する。従って、クリアランスランプ２０の配光を規定する光の多くは、主出射面部２４ａから出射される。主出射面部２４ａの内面には、クリアランスランプ２０として求められる配光パターンを達成するために、第１光拡散部３０が形成されている。本実施形態において、第１光拡散部３０は、正面視において格子状のステップとして形成されている。この格子状のステップは、配光制御用のステップと言うことができる。
【００２５】
第１副出射面部２４ｂは、主出射面部２４ａの上端部から灯具後方に延びるように形成されている。第１副出射面部２４ｂからは、導光体２３からの光の一部が出射される。第１副出射面部２４ｂの後端部には、透明カバー２４をクリアランスランプボディ２６に固定するための固定用ランス３２が突設されている。
【００２６】
図４は、固定用ランス３２の周辺を灯具後方側から見た図である。図３および図４に示すように、第１副出射面部２４ｂの後端部の一部には、その他の部位よりも肉厚に形成された肉厚部４０が設けられている。固定用ランス３２は、この肉厚部４０から灯具後方に向けて延びている。この固定用ランス３２には爪部３２ａが形成されており、この爪部３２ａがクリアランスランプボディ２６に形成された係止部３４と係合することにより、透明カバー２４がクリアランスランプボディ２６に固定される。
【００２７】
ここで本実施形態においては、図３および図４に示すように、第１副出射面部２４ｂの内面に第２光拡散部３１が形成されている。本実施形態において、この第２光拡散部３１は、肉厚部４０を除いた第１副出射面部２４ｂの内面上に形成された複数のシリンドリカル状のステップ４１と、肉厚部４０の内面上に形成された複数のシリンドリカル状のステップ４２とを含む。複数のシリンドリカル状のステップ４１，４２は、クリアランスランプ２０の延出方向（長手方向）に沿って並べられている。このようなシリンドリカル状のステップ４１，４２は、透明カバー２４を金型を用いて成形する際に、透明カバー２４を金型から抜きやすくなるので有利である。
【００２８】
本実施形態に係るクリアランスランプ２０においては、このような第２光拡散部３１を第１副出射面部２４ｂに形成することにより、図３に示すクリアランスランプ２０上方の視点Ａからクリアランスランプ２０を見た場合に、固定用ランス３２を見え難くすることができる。これにより、クリアランスランプ２０の見栄えを向上できる。第２光拡散部３１は、少なくとも固定用ランス３２が突設された第１副出射面部２４ｂの部位周辺、すなわち肉厚部４０の周辺に形成される必要があるが、第１副出射面部２４ｂの内面の略全域にわたって形成されてもよい。
【００２９】
本実施形態において、肉厚部４０の境界線４０ａは、図４に示すように第１副出射面部２４ｂの内面上に形成されたシリンドリカル状のステップ４１の境界線４１ａと一致している。また、肉厚部４０から突出する固定用ランス３２の境界線３２ｂは、肉厚部４０の内面上に形成されたシリンドリカル状のステップ４２の境界線４２ｂと一致している。このような構成とすることにより、肉厚部４０および固定用ランス３２が目立たないようにすることができる。
【００３０】
上述したように本実施形態においては、主出射面部２４ａに形成した第１光拡散部３０は格子状のステップであり、第１副出射面部２４ｂに形成した第２光拡散部３１はシリンドリカル状のステップである。このように、第１光拡散部３０と第２光拡散部３１の形状異ならせることにより、主出射面部２４ａと第１副出射面部２４ｂの光り方を変え、斬新な見え方の車両用灯具を構成できる。また、主出射面部２４ａと第１副出射面部２４ｂの照射の目的を変え、一つの灯具に複数の機能を持たせることができる。
【００３１】
第１副出射面部２４ｂの外面にシボ加工を施してもよい。この場合、固定用ランス３２をより見え難くすることができ、クリアランスランプ２０の見栄えを向上できる。
【００３２】
主出射面部２４ａの下端部から灯具後方に延びるように形成された第２副出射面部２４ｃにも固定用ランスが設けられている場合には、透明カバー２４の内面にも、第１副出射面部２４ｂと同じように、複数のシリンドリカル状のステップから成る光拡散部を形成してもよい。この場合、クリアランスランプ２０下方の視点からクリアランスランプ２０を見た場合に、固定用ランスを見え難くすることができるので、クリアランスランプ２０の見栄えを向上できる。また、第２副出射面部２４ｃの外面にシボ加工を施してもよい。
【００３３】
上述の実施形態では、クリアランスランプ２０の光源としてＬＥＤを用いたが、もちろんバルブ等の他の光源を用いることも可能である。また、導光体２３の形状は特に限定されず、様々な形状の導光体を用いることができる。
【００３４】
また、上述の実施形態では、長尺状の発光部として導光体２３を例示したが、長尺状の発光部は、導光体に限定されず、例えば複数のＬＥＤを一列または複数列に並べた形態であってもよい。
【００３５】
また、上述の実施形態では、固定用ランス３２の爪部３２ａがクリアランスランプボディ２６に形成された係止部３４と係合することにより、透明カバー２４がクリアランスランプボディ２６に固定される構成とした。しかしながら、例えば固定用ランス３２をクリアランスランプボディ２６にネジ止めすることにより、透明カバー２４とクリアランスランプボディ２６を固定してもよい。この場合も、第２光拡散部３１を第１副出射面部２４ｂに形成することにより、固定用ランス３２およびネジを見え難くすることができ、クリアランスランプの見栄えを向上できる。
【００３６】
また、上述の実施形態では、クリアランスランプを例として本発明を説明したが、本発明はクリアランスランプだけでなく、長尺状の発光部を用いたその他の車両灯具にも適用できる。
【００３７】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３８】
１０  車両用前照灯、  １２  ランプボディ、  １４  灯室、  １６  ロービームランプ、  １８  ハイビームランプ、  ２０  クリアランスランプ、  ２１  ＬＥＤ、  ２２  基板、  ２３  導光体、  ２４  透明カバー、  ２４ａ  主出射面部、  ２４ｂ  第１副出射面部、  ２４ｃ  第２副出射面部、  ２５  エクステンション、  ２６  クリアランスランプボディ、  ３０  第１光拡散部、  ３１  第２光拡散部、  ３２  固定用ランス、  ４０  肉厚部、  ４１、４２  ステップ。
【図１】
0005977061.tif 000002
【図２】
0005977061.tif 000003
【図３】
0005977061.tif 000004
【図４】
0005977061.tif 000005